(57)【特許請求の範囲】
【請求項１】
カメラと、該カメラによって撮影された映像を送信する送信装置と、該送信装置からの映像をネットワークを介して受信する受信装置と、該受信装置にて受信した映像を表示する表示装置とからなる映像配信システムにおける遅延時間を測定する方法であって、
前記カメラにより、撮影映像の一部に前記表示装置の表示部の一部が映り込むように撮影し、
該撮影映像に一定の周期で変化する周期映像を挿入し、
該周期映像が挿入された映像を前記送信装置を介して前記受信装置に送信して前記表示装置に表示させ、
前記挿入する周期映像の周期を変更しながら、表示映像に映り込んだ前記表示部に表示される周期映像と、該表示部を除く表示映像に表示される周期映像の位相を一致させ、
該位相が一致したときの前記周期映像の周期を遅延時間として検出することを特徴とする映像配信システムの遅延時間測定方法。
【請求項２】
前記周期映像を、一定の周期で連続して移動する移動体の映像とすることを特徴とする請求項１に記載の映像配信システムの遅延時間測定方法。
【請求項３】
前記周期映像を、一定の周期で点滅を繰り返す点滅映像とすることを特徴とする請求項１に記載の映像配信システムの遅延時間測定方法。
【発明の詳細な説明】
【技術分野】
【０００１】
本発明は、映像配信システムにおいて、配信された映像を受信して表示した際に生じる遅延時間を測定する方法に関する。
【０００２】
映像配信システムでは、送信した映像が受信側に届くまでに遅延が生じていた。これは、送信装置及び受信装置内の処理遅延と、ネットワークの伝送遅延に起因するものであり、この遅延が生じると映像のリアルタイム性が阻害されるため好ましくない。
【０００３】
そこで、従来、例えば、図７に示すように、カメラ６１と、送信装置６２と、ネットワーク６３と、受信装置６４と、表示装置６５とからなる映像配信システムに対し、送信映像及び受信映像を取得する分配器６６、６７と、取得した２つの映像を１画面に合成する画面合成装置６８と、合成映像を録画する録画装置６９とを設け、録画された合成映像をコマ送りすることにより目視で遅延フレーム（遅延時間）を計数していた。
【０００４】
一方、特許文献１には、図８に示すように、図７の映像配信システムのカメラ６１に代えて原画像生成装置７０を備える映像配信システムに対し、分配器６６、６７と、分配器６６、６７の各々と接続される映像遅延時間測定装置７１を設け、原画像生成装置７０から出力される基準映像（送信映像）と評価映像（受信映像）の特徴量（例えば、輝度レベル）の差を、映像遅延時間測定装置７１内で自動計測することで遅延時間を自動で測定する方法が開示されている。
【先行技術文献】
【特許文献】
【０００５】
【特許文献１】特開２００５−１８４７４９号公報
【発明の概要】
【発明が解決しようとする課題】
【０００６】
しかし、上述のように、録画映像から目視により遅延時間を計測する方法では、作業者の目視のみによって判断するため、多大な労力を要すると共に、分配器６７、６８や録画装置６９等を設ける必要があるため設備コストが増大するという問題があった。
【０００７】
また、特許文献１に記載の方法では、遅延時間を自動で測定することができるという利点があるものの、映像遅延時間測定装置の設置により設備コストが高騰するという問題があった。
【０００８】
そこで、本発明は、上記従来の技術における問題点に鑑みてなされたものであって、低コストで、容易に上記遅延時間を測定することが可能な映像配信システムの遅延時間測定方法を提供することを目的とする。
【課題を解決するための手段】
【０００９】
上記目的を達成するため、本発明は、カメラと、該カメラによって撮影された映像を送信する送信装置と、該送信装置からの映像をネットワークを介して受信する受信装置と、該受信装置にて受信した映像を表示する表示装置とからなる映像配信システムにおける遅延時間を測定する方法であって、前記カメラにより、撮影映像の一部に前記表示装置の表示部の一部が映り込むように撮影し、該撮影映像に一定の周期で変化する周期映像を挿入し、該周期映像が挿入された映像を前記送信装置を介して前記受信装置に送信して前記表示装置に表示させ、前記挿入する周期映像の周期を変更しながら、表示映像に映り込んだ前記表示部に表示される周期映像と、該表示部を除く表示映像に表示される周期映像の位相を一致させ、該位相が一致したときの前記周期映像の周期を遅延時間として検出することを特徴とする。
【００１０】
そして、本発明によれば、映像配信システムに対して周期映像挿入装置を設けるだけで足りるため、設備コストを最小限に抑えることができる。また、作業者は、２つの周期映像を目視で比較するだけであるため、遅延時間を容易に測定することができる。
【００１１】
また、前記周期映像を、一定の周期で連続して移動する移動体の映像としてもよく、一定の周期で点滅を繰り返す点滅映像とすることもできる。
【発明の効果】
【００１２】
以上のように、本発明によれば、低コストで、かつ容易に遅延時間を測定することが可能な映像配信システムの遅延時間測定方法を提供することができる。
【図面の簡単な説明】
【００１３】
【図１】本発明に係る遅延時間測定方法を適用した映像配信システムの全体構成図である。
【図２】本発明に係る遅延時間測定方法における撮影映像の一例を示す概略図である。
【図３】本発明に係る遅延時間測定方法で用いる周期映像の一例を示す概略図であって、（ａ）は、ｎフレームを、（ｂ）はｎ＋１フレームを、（ｃ）は、ｎ＋２フレームを各々示す。
【図４】本発明に係る遅延時間測定方法で用いる表示映像の他の例を示す概略図であって、（ａ）は、１次受信映像と２次受信映像の横線が一致していない場合を、（ｂ）は１次受信映像と２次受信映像の横線が一致している場合を各々示す。
【図５】表示装置に表示される横線（周期映像）の位相関係を示すグラフであって、（ａ）は位相が一致していない場合を、（ｂ）は位相が一致している場合を各々示す。
【図６】周期映像を点滅映像とした場合の位相関係を示すグラフであって、（ａ）は位相が一致していない場合を、（ｂ）は位相が一致している場合を各々示す。
【図７】従来の映像配信システムの遅延時間測定方法の一例を説明するための全体構成図である。
【図８】従来の映像配信システムの遅延時間測定方法の他の例を説明するための全体構成図である。
【発明を実施するための形態】
【００１４】
次に、本発明を実施するための形態について、図面を参照しながら詳細に説明する。
【００１５】
図１は、本発明に係る遅延時間測定方法を説明するための映像配信システムの全体構成図であって、この映像配信システム１は、カメラ２と、カメラ２によって撮影された映像を送信する送信装置３と、送信装置３からの映像をネットワーク４を介して受信する受信装置５と、受信装置５にて受信した映像を表示する表示装置６とからなり、本発明に係る方法を実施するため、カメラ２によって撮影された映像に周期映像を挿入する周期映像挿入装置１１を備える。
【００１６】
カメラ２は、撮影映像の一部に表示装置６の表示部（表示画面）６ａの一部が映り込み、かつ表示部６ａを除く撮影映像が、映り込んだ表示部６ａに表示されるように撮影可能な位置に配置される。本実施の形態では、図２に示すように、撮影映像２１の右半分に、表示装置６の表示部６ａの左半分が映り込むようにカメラ２を配置している。
【００１７】
周期映像挿入装置１１は、図２に示すように、表示装置６の表示部６ａを除く撮影映像２１、すなわち撮影映像２１の左半分に周期映像を挿入する機能と、挿入する周期映像の周期を変更する機能とを有する。挿入する周期映像は、例えば、図３に示すように、映像全体の左半分に位置すると共に、図３（ａ）〜（ｃ）の順に、時間変化に伴い上から下へ移動する横線３１とすることができる。この横線３１は、図３（ｃ）より下方へ移動して下限まで移動すると、再度上限から下方へ周期的に移動する。
【００１８】
次に、本発明に係る映像配信システムの遅延時間測定方法について、図面を参照しながら説明する。
【００１９】
まず、図２に示すように、カメラ２を用いて表示装置６の表示部６ａが映り込んだ映像を撮影し、撮影映像２１の左半分に周期映像挿入装置１１を介して周期映像である横線３１（図３参照）を挿入する。そして、横線３１挿入後の映像を、送信装置３によってネットワーク４を介して受信装置５に送信する。受信装置５にて受信した映像を表示装置６の表示部６ａに表示する。
【００２０】
図４に示すように、表示装置６に表示される映像４１は、画面の右半分に表示装置６の表示部６ａの左半分が映り込んでいる。ここで、この表示装置６の表示部６ａの左半分には、単に、受信装置５によって受信した映像が表示され、一方、表示映像４１の右半分には、表示映像を撮影したものを受信した映像が表示されていることとなる。以下においては、表示映像４１の左半分を１次受信映像４１ａ、右半分を２次受信映像４１ｂと参照番号を付して説明する。
【００２１】
図４（ａ）に示すように、送信装置３及び受信装置５内の処理遅延や、ネットワーク４の伝送遅延により、１次受信映像４１ａと、２次受信映像４１ｂの両方に遅延が生じている。この場合、図５（ａ）に示すように、これら横線３１ａ、３１ｂの位相も一致せずに位相のずれが生じている（位相差５１）。
【００２２】
そこで、周期映像挿入装置１１において、挿入する横線３１（３１ａ）の周期を変更する。これに伴い横線３１ｂも周期が変化する。この動作を繰り返し行うことで、図４（ｂ）に示すように、１次受信映像４１ａの横線３１ａと、２次受信映像４１ｂの横線３１ｂの位置を一致させることができ、これらの位置が一致すれば、図５（ｂ）に示すように、これらの位相も一致する。ここで、このときの横線３１の周期５２は、上記位相差５１と等しいため、この周期５２を映像配信システム１における遅延時間として検出することができる。
【００２３】
以上のように、本実施の形態によれば、従来の映像配信システムに対して周期映像挿入装置１１を設けるだけで足りるため、設備コストを最小限に抑えることができる。さらに、作業者は、表示装置６の２つの周期映像を目視で比較することで容易に遅延時間を測定することができる。  
【００２４】
尚、上記実施の形態においては、挿入する周期映像として横線３１を用いたが、これに限らず、例えば水平方向に周期的に移動する縦線でもよい。また、周期映像として、図６に示すように、一定の周期で点滅を繰り返す点滅映像を使用することもできる。同図では、パルスの上端で点灯していることを示している。この点滅映像を使用した場合にも、図６（ａ）に示すような、位相が一致していない状態から（位相差５３）、周期を変更することにより図６（ｂ）に示すような位相が一致した状態とし、このときの周期映像の周期５４を遅延時間として検出することができる。
【符号の説明】
【００２５】
１  映像配信システム
２  カメラ
３  送信装置
４  ネットワーク
５  受信装置
６  表示装置
６ａ  表示部
１１  周期映像挿入装置
２１  撮影映像
３１（３１ａ、３１ｂ）  横線
４１  表示映像
４１ａ  １次受信映像
４１ｂ  ２次受信映像
５１  位相差
５２  周期
５３  位相差
５４  周期
【図１】
0005569986.tif 000002
【図２】
0005569986.tif 000003
【図３】
0005569986.tif 000004
【図４】
0005569986.tif 000005
【図５】
0005569986.tif 000006
【図６】
0005569986.tif 000007
【図７】
0005569986.tif 000008
【図８】
0005569986.tif 000009